(57)【特許請求の範囲】
【請求項１】
底壁部と、該底壁部に対して垂直に接合された立壁部と、を備えるコーナー用Ｌ型擁壁ブロックであって、前記立壁部の側端部に補強用の補強肉盛り部が一体に設けられており、前記立壁部の側端部に延長立壁部が形成され、前記補強肉盛り部が延長立壁部の端面と面一であることを特徴とするコーナー用Ｌ型擁壁ブロック。
【請求項２】
底壁部と、該底壁部に対して垂直に接合された立壁部と、を備えるコーナー用Ｌ型擁壁ブロックであって、前記立壁部の側端部に補強用の補強肉盛り部が一体に設けられており、前記立壁部の側端部に延長立壁部が形成され、該延長立壁部の屈曲角度が鈍角であり、
該延長立壁部に補強肉盛り部が一体に設けられていることを特徴とするコーナー用Ｌ型擁壁ブロック。
【請求項３】
前記延長立壁部の屈曲角度が直角であることを特徴とする請求項１記載のコーナー用Ｌ型擁壁ブロック。
【請求項４】
前記延長立壁部の屈曲角度が鈍角であることを特徴とする請求項１記載のコーナー用Ｌ型擁壁ブロック。
【請求項５】
前記延長立壁部が立壁部の側端部から曲面状に形成されていることを特徴とする請求項１、２、３又は４記載のコーナー用Ｌ型擁壁ブロック。
【請求項６】
前記延長立壁部が立壁部の側端部から角状に形成されていることを特徴とする請求項１、２、３又は４記載のコーナー用Ｌ型擁壁ブロック。
【請求項７】
前記補強肉盛り部の上端面の位置が、前記立壁部の上端面の位置よりも一定距離下がっていることを特徴とする請求項１、２、３又は４記載のコーナー用Ｌ型擁壁ブロック。
【請求項８】
前記底壁部の補強肉盛り部側が切り欠かれていることを特徴とする請求項１、２、３又は４記載のコーナー用Ｌ型擁壁ブロック。
【請求項９】
請求項１〜８のいずれか１項記載のコーナー用Ｌ型擁壁ブロックを使ったコーナー施工方法であって、コーナー用Ｌ型擁壁ブロックの延長立壁部に標準Ｌ型擁壁ブロックの立壁部を当接させることを特徴とするコーナー施工方法。
【発明の詳細な説明】
【技術分野】
【０００１】
本発明は、擁壁ブロックをカーブさせて施工する際に用いられるコーナー用Ｌ型擁壁ブロックに関する。
【背景技術】
【０００２】
従来、道路側部の崩れを防止したり、急な斜面の土砂崩れを防止したりする為に標準Ｌ型擁壁ブロックが多用されている。
この標準Ｌ型擁壁ブロックは底壁部に対して立壁部が垂直に接合された断面Ｌ字状のブロック体であって、土地等の有効利用を図る上で効果的な擁壁を効率よく構築することが出来る（特許文献１及び特許文献２参照）。
すなわち、この標準Ｌ型擁壁ブロックを基礎コンクリート上に配設し、配設後にコンクリートを用いてその位置を固定するだけで擁壁が出来上がることから、現場で型枠を組み立ててコンクリートを打設して擁壁を構築する場合に比べて極めて効率良い施工が可能である。
【０００３】
ところで、この標準Ｌ型擁壁ブロックの立壁部は直線状の平坦な形状であるため、擁壁のコーナー部を形成する場合には、現場で切断加工を施したＬ型擁壁ブロックを複数個組み合わせて施工する必要がある。
【０００４】
その具体的な施工方法として、図１３を例に説明する。
なお、図では標準Ｌ型擁壁ブロックを用いて、擁壁のコーナー部を９０°に形成する場合を示している。
先ず、図１３（Ａ）に示すように、一方の標準Ｌ型擁壁ブロックＢの底壁部の右側を約４５°に切断し、もう一方の標準Ｌ型擁壁ブロックの底壁部の左側を同じく約４５°に切断する。
そして立壁部同士及び底壁部同士を当接させる。
【０００５】
次に図１３（Ｂ）に示すように、二つの標準Ｌ型擁壁ブロックＢ，Ｂを連結するために、二つの底壁部全体に渡ってコンクリートを打設し、擁壁ブロック載置部４を水平に形成し、養生させる。
【０００６】
打設したコンクリートが完全に硬化したら、図１３（Ｃ）に示すように、二つの立壁部の間に形成された間隙部を前後に囲むようにして枠体である角枠Ｋを配置する。
そしてこの角枠Ｋで囲まれた空間にコンクリートを流し込む。このようにして、間隙部は埋められ、二つの標準Ｌ型擁壁ブロックＢ，Ｂの立壁部の隅に立壁部とほぼ同じ高さまで角埋め部３１が形成される。
【０００７】
角埋め部３１が養生して完全に硬化したら、図１３（Ｄ）に示すように角枠Ｋを外して、標準Ｌ型擁壁ブロックの施工が完了する。
【０００８】
ところで、一般にコーナー部（すなわち角部）には、土砂等の荷重が集中して加わり、対向した２つの立壁部を相互に離させようとする力、いわゆる離反力が発生する。
その結果，両立壁部間に空隙が生じ或いはこの部分から立壁部が破損し、土砂が流出する。
しかし上記のような角埋め部３１を施工時に形成することで、このような問題が解決される。
すなわち角埋め部３１がコーナー部の補強効果を発揮するのである。
【特許文献１】特開平９−１２５４２０号公報
【特許文献２】特開平１０−２９２３９８号公報
【発明の開示】
【発明が解決しようとする課題】
【０００９】
上述のような、角埋め部３１の形成作業は、施工現場では必須であるが、角枠を使うことから作業自体が煩雑である。
その上、コンクリートが養生するための時間を必要とするため、擁壁ブロックの施工効率を著しく損ね、施工コスト増加の要因の一つともなっている。
【００１０】
本発明は以上の課題を解決すべく開発されたものである。
すなわち、本発明は、施工時に角埋め部の形成作業を全く必要としないコーナー用Ｌ型擁壁ブロックを提供することを目的とする。
【課題を解決するための手段】
【００１１】
本発明者は、以上のような課題背景をもとに鋭意研究を重ねた結果、補強肉盛り部を予めコーナー用Ｌ型擁壁ブロックに形成しておくことで上記のような問題点を解決できることを見出し、その知見に基づいて本発明を完成させたものである。
【００１２】
すなわち本発明は、（１）、底壁部と、該底壁部に対して垂直に接合された立壁部と、を備えるコーナー用Ｌ型擁壁ブロックであって、前記立壁部の側端部に補強用の補強肉盛り部が一体に設けられており、前記立壁部の側端部に延長立壁部が形成され、前記補強肉盛り部が延長立壁部の端面と面一であるコーナー用Ｌ型擁壁ブロックに存する。
【００１３】
また本発明は、（２）、底壁部と、該底壁部に対して垂直に接合された立壁部と、を備えるコーナー用Ｌ型擁壁ブロックであって、前記立壁部の側端部に補強用の補強肉盛り部が一体に設けられており、前記立壁部の側端部に延長立壁部が形成され、該延長立壁部の屈曲角度が鈍角であり、該延長立壁部に補強肉盛り部が一体に設けられているコーナー用Ｌ型擁壁ブロックに存する。
【００１４】
また本発明は、（３）、前記延長立壁部の屈曲角度が直角である上記（１）記載のコーナー用Ｌ型擁壁ブロックに存する。
【００１５】
また本発明は、（４）、前記延長立壁部の屈曲角度が鈍角である上記（１）記載のコーナー用Ｌ型擁壁ブロックに存する。
【００１６】
また本発明は、（５）、前記延長立壁部が立壁部の側端部から曲面状に形成されている上記（１）、（２）、（３）又は（４）記載のコーナー用Ｌ型擁壁ブロックに存する。
【００１７】
また本発明は、（６）、前記延長立壁部が立壁部の側端部から角状に形成されている上記（１）、（２）、（３）又は（４）記載のコーナー用Ｌ型擁壁ブロックに存する。
【００１８】
また本発明は、（７）、前記補強肉盛り部の上端面の位置が、前記立壁部の上端面の位置よりも一定距離下がっている上記（１）、（２）、（３）又は（４）記載のコーナー用Ｌ型擁壁ブロッに存する。
【００１９】
また本発明は、（８）、前記底壁部の補強肉盛り部側が切り欠かれている上記（１）、（２）、（３）又は（４）記載のコーナー用Ｌ型擁壁ブロッに存する。
【００２０】
また本発明は、（９）、上記（１）〜（８）のいずれか１項記載のコーナー用Ｌ型擁壁ブロックを使ったコーナー施工方法であって、コーナー用Ｌ型擁壁ブロックの延長立壁部に標準Ｌ型擁壁ブロックの立壁部を当接させるコーナー施工方法に存する。
【００２１】
なお、本発明の目的に添ったものであれば上記の発明を適宜組み合わせた構成も採用可能である。
【発明の効果】
【００２２】
本発明のコーナー用Ｌ型擁壁ブロックによれば、立壁部の側端部に補強用の補強肉盛り部が一体に設けられているため、立壁部自体が補強され、施工時に敢えて補強作業を行う必要がない。
したがって、擁壁の施工を行なう際の作業効率が向上し、施工コストが低減される。
本発明のコーナー用Ｌ型擁壁ブロックによれば、立壁部の側端部に延長立壁部が形成され、該延長立壁部の屈曲角度が直角或いは鈍角であることにより、コーナー用Ｌ型擁壁ブロックにおける立壁部の突き合わせ位置が角部から外れた位置になり、二つの立壁部の間に発生する離反力を極力少なくすることができる。
本発明のコーナー用Ｌ型擁壁によれば、補強肉盛り部の上端面の位置が、前記立壁部の上端面の位置よりも一定距離下がっていることにより、擁壁形成後、土砂等により補強肉盛り部の上面が覆われて露出しない。
【発明を実施するための最良の形態】
【００２３】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２４】
（第１の実施形態）
本実施形態のコーナー用Ｌ型擁壁ブロックは、擁壁のコーナー部（すなわち角部）を形成する部分に用いられるものである（図１参照）。
本発明のコーナー用Ｌ型擁壁ブロックＡには、予め補強用の補強肉盛り部３が設けられている。
そのため、従来の標準Ｌ型擁壁ブロックとは異なり、施工時に擁壁ブロックに補強肉盛り部を形成する作業を全く必要としない。
結果的に、擁壁ブロックの施工効率が大きく向上し、施工コストが低減される。
【００２５】
次に、コーナー用Ｌ型擁壁ブロックＡについて具体的に説明する。
図２（Ａ）は本実施形態のコーナー用Ｌ型擁壁ブロックＡを示す平面図であり、図２（Ｂ）は本実施形態のコーナー用Ｌ型擁壁ブロックＡを示す斜視図である。
図２に示すように、本実施形態のコーナー用Ｌ型擁壁ブロックＡは、底壁部１と、立壁部２と、該立壁部２の側端部に一体に設けられ立壁部２を補強するための補強肉盛り部３と、を備え、断面Ｌ字状のブロック体となっている。
【００２６】
底壁部１は、地面に打設した基礎コンクリートの上に載置される部分であり、通常、立壁部２と垂直である。
底壁部１の横幅は、延長立壁部２１を含む立壁部２の横幅より短く、いわゆる底壁部１の側端部が切り欠かれた状態となっている。
このように切り欠き部Ｓを形成することにより、後述する第２の施工方法において、標準Ｌ型擁壁ブロックＢの立壁部２とコーナー用Ｌ型擁壁ブロックＡの立壁部２とを接合させる際に、この切り欠き部Ｓに標準Ｌ型擁壁ブロックＢの立壁部２を嵌め込んで、コーナー用Ｌ型擁壁ブロックＡの底壁部１との接触を逃がすことができる。
そのため、この切り欠き部Ｓは少なくとも標準Ｌ型擁壁ブロックＢの立壁部２の厚みよりも大きく、且つ底壁部１の強度低下し過ぎない程度の大きさに形成されている。
【００２７】
立壁部２の側端部には、該立壁部の側端部から曲面状に形成され、且つ直角に屈折しながら立壁部２を延長するように形成された延長立壁部２１が設けられている。
なお、後述するように、この延長立壁部２１の屈曲度合い（すなわち曲げ度合い）は、製造時の型枠の変更により、任意に設定することが可能であり、屈曲度合いの異なるコーナー用Ｌ型擁壁ブロックＡの製造が可能である。
施工場所の状況や、施工のレイアウト等に合わせて最適なものを選ぶことができる。
本実施形態のコーナー用Ｌ型擁壁ブロックＡにおいては、延長立壁部２１が直角で屈折しているため、直角のコーナー部を有する擁壁の施工に使われる。
【００２８】
補強肉盛り部３は、コーナー用Ｌ型擁壁ブロックＡの製造段階において、既に延長立壁部２１と一体に形成されているので、立壁部２の突き合わせ位置が角部（隅部）から外れた位置となっている。
そのため施工状態において当接させた二つの立壁部２の離反力を極力少なくすることができる。
したがって、コーナー用Ｌ型擁壁ブロックＡに加わった土砂等の荷重や衝撃等により立壁部２の突き合わせ部分が離反するようなことが防止される。
また確実に延長立壁部２１自体が補強される。
更にまた、補強肉盛り部３は底壁部１とも一部一体化しているため、底壁部１に対する補強効果もある。
【００２９】
補強肉盛り部３の端面は延長立壁部２１の端面と面一になっており、後述するように、標準Ｌ型擁壁ブロックとコーナー用Ｌ型擁壁ブロックＡとを当接させる際に案内部となり、接合作業が極めて円滑に行なわれる。
【００３０】
さらに、補強肉盛り部３の上端面の位置は、立壁部２の上端面の位置よりも一定距離下がって形成されている。
補強肉盛り部３の上端面の位置を一定距離下げることにより、コーナー用Ｌ型擁壁ブロックＡを埋めたときにこれが表面に露出しない。
すなわち立壁部２の上端面のラインだけが露出し見栄えがよくなる利点がある。
【００３１】
（第１の施工方法）  
次に、コーナー用Ｌ型擁壁ブロックＡの施工方法について説明する。
このコーナー用Ｌ型擁壁ブロックＡは、主として、一定高さの土盛りを行った場合の擁壁を形成するために使われ、特にコーナー部に有効である（図１参照）。
先ず、標準Ｌ型擁壁ブロックＢ（直線部分対応用のＬ型擁壁ブロック）及びコーナー用Ｌ型擁壁ブロックＡが安定且つ水平な状態で載置されるように、施工予定箇所全体に基礎コンクリートを打設し（図示略）、養生させる。
次に、図３（Ａ）に示すように、コーナー用Ｌ型擁壁ブロックＡを施工設計図等に則って所定の箇所に配置する。
【００３２】
コーナー用Ｌ型擁壁ブロックＡの位置を固定したら、次に図３（Ｂ）に示すように標準Ｌ型擁壁ブロックＢの底壁部１とほぼ同じ面積のコンクリートあるいはモルタル、又はコンクリートとモルタルの両方を打設し擁壁ブロック載置部４を水平に形成する。
この場合、通常、型枠を用いて打設する。
擁壁ブロック載置部４は補強肉盛り部３の周囲を取り囲むように形成される。
【００３３】
後述するように、擁壁ブロック載置部４に標準Ｌ型擁壁ブロックＢを載置した状態で、標準Ｌ型擁壁ブロックＢとコーナー用Ｌ型擁壁ブロックＡとを接合するので、擁壁ブロック載置部４を形成する際は、コーナー用Ｌ型擁壁ブロックＡの底壁部１に形成された切り欠き部は埋められる。
ここで、擁壁ブロック載置部４の高さに関しては特に限定されるものではないが、コーナー用Ｌ型擁壁ブロックＡの底壁部１と、擁壁ブロック載置部４の底壁部１との間に過剰な高さの段差が形成されないようにする。
すなわち擁壁ブロック載置部４の高さは、施工コスト、養生期間等の観点から、少なくとも標準Ｌ型擁壁ブロックＢを安定して載置できる高さでよい。
【００３４】
打設したコンクリートを養生させて擁壁ブロック載置部４が完全に硬化したら、そこに標準Ｌ型擁壁ブロックＢを載置し、該標準Ｌ型擁壁ブロックＢの立壁部側端面と、コーナー用Ｌ型擁壁ブロックＡの延長立壁部２１の側端面とを当接させる（図３（Ｃ）参照）。
なお、コーナー用Ｌ型擁壁ブロックＡと、標準Ｌ型擁壁ブロックＢとの金具を使った確実な連結方法については後述する。
【００３５】
標準Ｌ型擁壁ブロックＢを接合する際には、コーナー用Ｌ型擁壁ブロックＡの立壁部２の上端面と、標準Ｌ型擁壁ブロックＢの立壁部２の上端面とを面一にすることが好ましいので、コーナー用Ｌ型擁壁ブロックＡの立壁部２よりも、擁壁ブロック載置部４の高さの分だけ低い立壁部を有する標準Ｌ型擁壁ブロックＢを用いるとよい。
以上によりコーナー用Ｌ型擁壁ブロックＡの施工が完了する。
【００３６】
なおこの後、順次、標準Ｌ型擁壁ブロックＢを延長させて接合していく際には、擁壁ブロック載置部４を形成しないで、直接、基礎コンクリートの上に擁壁ブロック載置部４の高さだけ高い立壁部を有する標準Ｌ型擁壁ブロックＢを載置していくことが施工効率上、好ましい。
もっとも擁壁ブロック載置部４を延長して形成し、その上に標準Ｌ型擁壁ブロックＢを載置することも当然可能である。
またコーナー用Ｌ型擁壁ブロック側に標準Ｌ型擁壁ブロックＢを延長させて接合していく際には、基礎コンクリート上にコーナー用Ｌ型擁壁ブロックと立壁部２の高さの同じ標準Ｌ型擁壁ブロックＢを載置していく。
【００３７】
（第２の施工方法）
次に、コーナー用Ｌ型擁壁ブロックＡの別の施工方法を説明する。この施工方法は、標準Ｌ型擁壁ブロックＢの上にコーナー用Ｌ型擁壁ブロックＡを置く方法である。
事情により第１の施工方法のようにコーナー用Ｌ型擁壁ブロックＡの上に標準Ｌ型擁壁ブロックＢを載置できない場合に用いられる施工方法である。
先ず、第１の施工方法のときと同様に、コーナー用Ｌ型擁壁ブロックＡ及び標準Ｌ型擁壁ブロックＢの安定的且つ水平な載置を実現するために、擁壁ブロック施工予定箇所全体に基礎コンクリートを打設する。
【００３８】
打設した基礎コンクリートを養生させて、完全に硬化させたら、次に図４（Ａ）に示すように、標準Ｌ型擁壁ブロックＢを基礎コンクリート上に配置する。
標準Ｌ型擁壁ブロックＢの位置を固定したら、次に図４（Ｂ）に示すように、コーナー用Ｌ型擁壁ブロックＡの底壁部１とほぼ同じ面積のコンクリートあるいはモルタル、又はコンクリートとモルタルの両方を打設し、擁壁ブロック載置部４を水平に形成する。
この場合も、前述した第１の施工方法と同じく、形成された擁壁ブロック載置部４が水平になり、そこにコーナー用Ｌ型擁壁ブロックＡを安定的に載置できるようにコンクリートを打設すればよい。
【００３９】
またこの擁壁ブロック載置部４の高さに関しても、前述した第１の施工方法のように考えてよい。
【００４０】
打設したコンクリートを養生させて擁壁ブロック載置部４が完全に硬化したら、そこにコーナー用Ｌ型擁壁ブロックＡを載置し、その延長立壁部２１の側端面と標準Ｌ型擁壁ブロックＢの立壁部側端面とを当接させる。（図４（Ｃ）参照）。
この場合、コーナー用Ｌ型擁壁ブロックＡの立壁部２の上端面と、標準Ｌ型擁壁ブロックＢの立壁部の上端面とを面一にすることが好ましいので、コーナー用Ｌ型擁壁ブロックＡの立壁部２よりも、擁壁ブロック載置部４の高さの分だけ低い立壁部を有するコーナー用Ｌ型擁壁ブロックＡを用いるとよい。
以上によりコーナー用Ｌ型擁壁ブロックＡの施工が完了する。
【００４１】
次に、擁壁ブロック同士を確実に連結する方法について説明する。コーナー用Ｌ型擁壁ブロックＡと標準Ｌ型擁壁ブロックＢとを当接させるが、コーナー用Ｌ型擁壁ブロックＡと標準Ｌ型擁壁ブロックＢとは、極力、相互にズレないように連結した方が好ましい。
そのため、各立壁部同士を、連結具等を用いて連結する。その連結手段の例を以下に示す。
【００４２】
図５は、接合プレート５を用いる方法である。
先ず、図５（Ａ）に示すようにコーナー用Ｌ型擁壁ブロックＡと、標準Ｌ型擁壁ブロックＢとを当接させた後、９０°に折り曲げられた金属製の接合プレート５を、コーナー用Ｌ型擁壁ブロックＡと標準Ｌ型擁壁ブロックＢとの接合部に当接させる。
次に、図５（Ｂ）に示すように、接合プレート５に形成された貫通孔を通して、各擁壁ブロックに形成された固定孔Ｐ（インサート雌体により形成されている）に締結ボルトＮをネジ込んで締め付ける。
これにより、コーナー用Ｌ型擁壁ブロックＡと標準Ｌ型擁壁ブロックＢとは接合プレート５を介して確実に連結される。
なおこのとき、接合プレート５には、長孔５１が形成されているので、位置合わせが簡単である。
【００４３】
図６は、一方の擁壁ブロックに埋め込まれたコの字型金具５Ａを介して連結する方法である。
一方の標準Ｌ型擁壁ブロックＢにコの字型金具５Ａを埋め込んでおく。
また、このコの字型金具５Ａの中央位置に相当する部分の標準Ｌ型擁壁ブロックＢに空間Ｓ１を形成しておく。
そして標準Ｌ型擁壁ブロックＢとコーナー用Ｌ型擁壁ブロックＡとを当接させ、締結ボルトＮをコの字型金具の孔５Ａ１を通してコーナー用Ｌ型擁壁ブロックＡの固定孔Ｐ（インサート雌体により形成されている）にネジ込み締め付けると、コーナー用Ｌ型擁壁ブロックＡと標準Ｌ型擁壁ブロックＢとは確実に連結される。
なお、締結ボルトＮのネジ込みは、上述の空間Ｓ１内に指を入れることで操作が容易に行われる。
【００４４】
以上、本発明をその一実施形態を例に説明したが、本発明は上述した実施形態のみに限定されるものではなく、種々の変形が可能である。  
例えば、延長立壁部の形状は擁壁ブロックの施工内容に応じてその製造段階で適宜変更することが可能である。
【００４５】
例えば、図７に示すように、延長立壁部３の形状を角状に且つ直角に屈曲したような形状にすることができる。
延長立壁部３の形状をこのようにすることで、擁壁のコーナー部を鋭く見せることができる。
【００４６】
図８は、擁壁の直角のコーナー部の施工状態を示しており、上述の第１の施工方法に相当する。
【００４７】
また、図９に示すように、延長立壁部２１が立壁部２の側端部から曲面状に形成されおり、且つ該延長立壁部２１の屈曲角度を鈍角とすることができる。
【００４８】
図１０は、擁壁のなだらかな鈍角のコーナー部の施工状態を示しており、上述の第１の施工方法に相当する。
【００４９】
また、図１１に示すように、延長立壁部２１が立壁部２の側端部から角状に形成されおり、且つ該延長立壁部２１の屈曲角度を鈍角とすることができる。
【００５０】
図１２は、擁壁の鈍角のコーナー部の施工状態を示しており、上述の第１の施工方法に相当する。
また、図示しないが、延長立壁部の屈曲角度を鋭角にすることも当然可能である。
また、図示しないが、Ｌ型擁壁の底壁部を図示しているような先端に向けてテーパーをつけた形状だけでなく、底壁部を等厚とすることも出来る。
そして底壁部が等厚のＬ型擁壁の上にコンクリート或いはモルタル、又はコンクリートとモルタルの両方を打設した場合、擁壁ブロック載置部４を形成するためのコンクリートあるいはモルタル、又はコンクリートとモルタルの両方の使用量を大幅に減らすことも可能である。
【図面の簡単な説明】
【００５１】
【図１】図１は、本実施形態のコーナー用Ｌ型擁壁ブロックの使用状態の一例を示す説明図である。
【図２】図２は、本実施形態のコーナー用Ｌ型擁壁ブロックを示す説明図であり、（Ａ）は平面図、（Ｂ）は斜視図である。
【図３】図３は、コーナー用Ｌ型擁壁ブロックの施工方法の一例を示す説明図である。
【図４】図４は、コーナー用Ｌ型擁壁ブロックの施工方法の一例を示す説明図である。
【図５】図５は、コーナー用Ｌ型擁壁ブロックと、標準Ｌ型擁壁ブロックと、を連結する方法の一例を示す説明図である。
【図６】図６は、コーナー用Ｌ型擁壁ブロックと、標準Ｌ型擁壁ブロックと、を連結する方法の一例を示す説明図である。
【図７】図７は、コーナー用Ｌ型擁壁ブロックの別の実施形態を示す説明図であり、（Ａ）は平面図、（Ｂ）は斜視図である。
【図８】図８は、図７に示したコーナー用Ｌ型擁壁ブロックの施工状態を示す説明図である。
【図９】図９は、コーナー用Ｌ型擁壁ブロックの別の実施形態を示す説明図であり、（Ａ）は平面図、（Ｂ）は斜視図である。
【図１０】図１０は、図９に示したコーナー用Ｌ型擁壁ブロックの施工状態を示す説明図である。
【図１１】図１１は、コーナー用Ｌ型擁壁ブロックの別の実施形態を示す説明図であり、（Ａ）は平面図、（Ｂ）は斜視図である。
【図１２】図１２は、図１１に示したコーナー用Ｌ型擁壁ブロックの施工状態を示す説明図である。
【図１３】図１３は、従来の標準Ｌ型擁壁ブロックの施工工程を示す説明図である。
【符号の説明】
【００５２】
１・・・底壁部
２・・・立壁部
２１・・・延長立壁部
３・・・補強肉盛り部
３１・・・角埋め部
４・・・擁壁ブロック載置部
５・・・接合プレート
５１・・・長孔
５Ａ・・・コの字型金具
５Ａ１・・・コの字型金具の孔
Ａ・・・コーナー用Ｌ型擁壁ブロック
Ｂ・・・標準Ｌ型擁壁ブロック
Ｎ・・・締結ボルト
Ｐ・・・固定孔
Ｓ・・・切り欠き部
Ｓ１・・・空間
【図１】
0005138461.tif 000002
【図２】
0005138461.tif 000003
【図３】
0005138461.tif 000004
【図４】
0005138461.tif 000005
【図５】
0005138461.tif 000006
【図６】
0005138461.tif 000007
【図７】
0005138461.tif 000008
【図８】
0005138461.tif 000009
【図９】
0005138461.tif 000010
【図１０】
0005138461.tif 000011
【図１１】
0005138461.tif 000012
【図１２】
0005138461.tif 000013
【図１３】
0005138461.tif 000014